(57)【要約】【課題】柵本体を立設するスタンドの脚杆と設置面との間に人の足が入るのを防止した移動式柵を提供する。【解決手段】四角形状に形成した柵本体１と、この柵本体の両側に連結して柵本体を立設すると共に隣接する柵本体１を接続するスタンド２とからなり、スタンド２は支柱２１の下端に一対の脚杆２２ａ，２２ｂで二股状に形成した脚台部２２を備えている。スタンド２の脚台部２２の一方側の脚杆２２ａ又は２２ｂに、この脚杆と設置面４との間に形成される空間部５の略全域を閉塞する防護壁を形成するように構成した硬質プラスチック等の硬質材製の安全カバー３を装着する。【選択図】図１
0003115881.tif 000002
【実用新案登録請求の範囲】
【請求項１】
四角形状に形成した柵本体と、支柱の下端に一対の脚杆で二股状に形成した脚台部を設けたスタンドとを備え、前記柵本体の両側に前記スタンドを着脱可能に連結して前記柵本体を立設させると共に隣接する柵本体を接続する移動式柵において、
前記スタンドは、脚台部の一方側の脚杆に装着した硬質材よりなる安全カバーを備え、前記カバーにより、前記一方側の脚杆と設置面との間に形成される空間部の略全域を閉塞する防護壁を形成するように構成したことを特徴とする、
移動式柵。
【請求項２】
安全カバーは硬質プラスチックで構成されていることを特徴とする、請求項１に記載の移動式柵。
【請求項３】
安全カバーは脚台部の一方側の脚杆に着脱可能に接着されていることを特徴とする、請求項１又は２に記載の移動式柵。
【考案の詳細な説明】
【技術分野】
【０００１】
本考案は、例えば通行規制や人の整理等に使用する移動式柵に関する。特に、例えば、各種のイベント会場やパレードを実施する沿道、その他多数の人が集まる場所等に設置し、規制区域の隔壁や人の整理用の柵（フェンス）等を形成する際等に使用するのに適した移動式柵に関する。
【背景技術】
【０００２】
従来、この種の移動式柵は、一般に柵本体には自立させる手段は具備せず、柵本体の両側にスタンドを連結し、このスタンドで立設するように構成されている。また、前記スタンドは、支柱の下端に一対の脚杆で二股状に形成した脚台部を設けてなっている。そして、脚台部を柵本体の枠体と直交する方向に向けてスタンドを柵本体の両側に連結すると共に隣接する柵本体を、スタンドを介して接続するように構成されている（例えば、特許文献１参照）。
【０００３】
移動式柵は所要時に、例えばパレードを実施する際には沿道に所要数の柵本体を接続して立設して使用され、また、イベント等の場合には目的の場所に適当な幅で対向させる等により所要数の柵本体を接続して立設して使用されている。
【０００４】
ところで、従来の移動式柵は上記したように脚台部を柵本体の枠体と直交させてスタンドを柵本体の両側に連結して立設するように構成してあるため、脚台部の両脚杆が柵本体の前後方向へ張り出した状態で立設されている。そして、両脚杆と設置面との間には足が容易に入る空間部が形成されている。
【０００５】
したがって、例えば、沿道に設置した場合においては、観衆（見物人）の足が歩道側に位置する脚杆の前記空間部内に入り、身動きが不自由になった状態で押される等により横転する恐れが生じる。この場合、一人の人間が横転すると複数の人が将棋倒し状に連鎖的に転倒して事故になる危険性があり、実際に事故が発生したこともある。また、イベント会場等の場所に設置した場合においても前記と同様の問題が生じる恐れを有している。
【特許文献１】実用新案登録第３０６９４９８号公報
【考案の開示】
【考案が解決しようとする課題】
【０００６】
本考案は前記のような実情に鑑み、柵本体を立設するスタンドの脚杆と設置面との間に人の足が入るのを防止した移動式柵を提供することを目的とするものである。
【課題を解決するための手段】
【０００７】
前記目的を達成するため、本考案は、四角形状に形成した柵本体と、支柱の下端に一対の脚杆で二股状に形成した脚台部を設けたスタンドとを備え、前記柵本体の両側に前記スタンドを着脱可能に連結して前記柵本体を立設させると共に隣接する柵本体を接続する移動式柵において、前記スタンドは、脚台部の一方側の脚杆に装着した硬質材よりなる安全カバーを備え、前記カバーにより、前記一方側の脚杆と設置面との間に形成される空間部の略全域を閉塞する防護壁を形成するように構成したことを特徴とする。
【０００８】
本考案の移動式柵は、例えば沿道に設置する場合には、安全カバーを装着した側の脚杆を歩道側に向けて立設する。また、イベント会場等に設置する場合には、安全カバーを装着した側の脚杆を人が通行する側に向けて立設する。このように、本考案の移動式柵は、目的とする見物人或いは通行規制や整理する等の人が位置する側に前記脚杆を向けて立設し、使用される。これにより、一方側の脚杆と設置面との間は防護壁で略全体的に閉塞されているので、見物人や通行人等の人の足が脚杆と設置面との間に入るのを防護壁で阻止して防止される。
【０００９】
本考案において、安全カバーは硬質プラスチックで構成したものを採用することができる。また、安全カバーは脚台部の一方側の脚杆に着脱自在に装着する構成を採用することもできる。
【考案の効果】
【００１０】
本考案によれば、スタンドの脚杆と設置面との間に人の足が入るのを阻止できるので、従来例のように、脚杆と設置面との間に人の足が入って転倒する危険性を解消することができる。
【考案を実施するための最良の形態】
【００１１】
以下、図面を参照して本考案の移動式柵の最良の実施の形態の一例を説明する。
【００１２】
図１は本考案の移動式柵の一実施の形態を示す斜視図、図２は同上柵の側面図、図３は同上柵のスタンドの脚杆に装着される安全カバーの一実施の形態を示す斜視図（ａ）及び縦断面図（ｂ）、図４は同上柵の柵本体とスタンドの一部を拡大して示す斜視図、図５は同上柵の柵本体とスタンドとを連結した状態を拡大して示す横断面図、図６は同上柵本体を接続して立設した状態を示す斜視図である。
【００１３】
上記図１〜図６において、この実施の形態の移動式柵は、柵本体１と、この柵本体１の両側に着脱可能に連結して柵本体１を立設させると共に隣接する柵本体１を接続するスタンド２、及びスタンド２の脚台部の一方の脚杆に装着される安全カバー３とを備えている。
【００１４】
前記柵本体１は金属製等のパイプで適当な大きさの長方形状等の四角形状（例えば、縦約９００ミリ×横約１６００ミリ、但し、この寸法は任意に変更可能）に形成した枠体１１に所定長さの金属製等のパイプ等で形成した任意数の縦杆１２を適当な間隔を存して格子状に配設して構成されている。この柵本体１の前記構成自体については従来公知のものと同様に構成されている。
【００１５】
前記スタンド２は適当な長さの金属製等のパイプよりなる支柱２１の下端に一対の脚杆２２ａ，２２ｂで二股状に形成した金属製等のパイプよりなる脚台部２２を固設してなっている。脚台部２２の両脚杆２２ａ，２２ｂの下端にはゴム材等よりなる防滑用の台部材２３が嵌合して設けてある。
【００１６】
前記スタンド２は支柱２１の上端部側に、前記二股状の脚台部２２と直交する方向に向けると共に支柱２１を挟んで左右対称に設けた一対の上部側の連結用受け金具２４と、この受け金具２４と対応させて支柱２１の下端部側に設けた一対の下部側の連結用受け金具２５を有している。
【００１７】
前記柵本体１は、枠体１１の両側に前記上部側及び下部側の受け金具２４及び２５と対応させて左右対称に設けた連結用嵌合金具１３及び１４を有している。
【００１８】
この実施の形態の前記受け金具２４及び２５は丸棒又は丸パイプ材（図示では丸パイプ材）をＬ字形に折曲して鉛直部と水平部とを形成し、水平部の先端を支柱２１に溶接等で固着して構成されている。また、前記各嵌合金具１３及び１４は前記受け金具２４，２５の鉛直部に嵌合する円筒体で形成され、この円筒体を柵本体１の枠体１１に溶接等で固着１５（図５参照）して構成されている。
【００１９】
この実施の形態の移動式柵は、柵本体１の両側の各嵌合金具１３及び１４をスタンド２の各受け金具２４，２５の鉛直部に嵌合し、柵本体１を両側のスタンド２で支持させて立設させると共に隣接する柵本体１を接続して使用される。なお、柵本体１の前記各嵌合金具１３，１４及びスタンド２の前記各受け金具２４，２５は一例として開示したもので、図示以外の任意の構成に適宜変更可能なものである。
【００２０】
前記安全カバー３は、硬質プラスチックその他の硬質材で構成され、スタンド２の脚台部２２の一方側の脚杆２２ａ又は２２ｂに装着されている。前記カバー３により、一方側の脚杆２２ａ又は２２ｂと路面その他の設置面４との間に形成される空間部５の略全域を閉塞する防護壁を形成するように構成するものである。
【００２１】
この実施の形態の安全カバー３は、硬質プラスチックで構成されている。前記カバー３は、脚杆２２ａ又は２２ｂに装着することにより、前記空間部５の略全域を閉塞する大きさと対応する大きさに形成し、適当な間隔を存して対設した一対の壁板３１，３２を備えている。両板３１，３２は脚杆２２ａ（又は２２ｂ）の略全体に嵌合する嵌合部３３を介して一体的に連設して形成されている。また、前記カバー３の前記両板３１，３２の下端及び基端側（脚杆に装着した際に支柱２１側に位置する側）は開口されていると先端側は板３４で連結され、脚杆の先端側に嵌合するように構成されている。
前記両板３１，３２間の間隔は適当に設定できるものであるが、脚杆２２ａ又は２２ｂ（但し、両杆２２ａと２２ｂは同径）の直径より狭く形成されている。この場合、両板３１，３２間の間隔が大き過ぎると、カバー３が脚杆から外れ易くなるので好ましくない。なお、前記カバー３は、脚杆２２ａ又は２２ｂに装着した際に、両壁板３１，３２の下端が路面等の設置面４に可及的接近するように構成することが好ましい。
【００２２】
前記のように構成した安全カバー３は、スタンド２の脚台部２２の所望の一方側の脚杆２２ａ又は２２ｂ（図示では２２ｂ）に、嵌合部３３を嵌合して着脱可能に装着されている。これにより、スタンド２を立設した際に、一方側の脚杆と設置面４との間に形成される空間部５は前記両壁板３１，３２により略全域に亘って閉塞される。即ち、両壁板３１，３２により前記空間部５の略全域を閉塞する防護壁が形成される。なお、所望に応じ、前記カバー３の適当部を接着等により脚杆に固着してもよい。
【００２３】
実施の形態の移動式柵は上記のように構成し、各スタンド２を同じ方向に向けて柵本体１の両側の各嵌合金具１３，１４をスタンド２の各受け金具２４，２５にそれぞれ嵌合して所要数の柵本体を接続し、沿道や各種イベント等の会場その他の目的の場所に立設して設置して使用される。
【００２４】
なお、上記した実施の形態は一例として開示したもので、本考案は上記の実施の形態に限定されるものではなく、実用新案登録請求の範囲に記載の技術思想を越脱しない範囲内において任意に変更可能なものである。
【図面の簡単な説明】
【００２５】
【図１】本考案の移動式柵の一実施の形態を示す斜視図である。
【図２】同上柵の側面図である。
【図３】同上柵のスタンドの脚杆に装着される安全カバーの一実施の形態を示すものであって、同図（ａ）は斜視図、同図（ｂ）は縦断面図である。
【図４】同上柵の柵本体とスタンドの一部を拡大して示す斜視図である。
【図５】同上柵の柵本体とスタンドとを連結した状態を拡大して示す横断面図である。
【図６】同上柵本体を接続して立設した状態を示す斜視図である。
【符号の説明】
【００２６】
１      柵本体
２      スタンド
３      安全カバー
４      設置面
５      空間部
２１    支柱
２２    脚台部
２２ａ  脚杆
２２ｂ  脚杆
【図１】
0003115881.tif 000003
【図２】
0003115881.tif 000004
【図３】
0003115881.tif 000005
【図４】
0003115881.tif 000006
【図５】
0003115881.tif 000007
【図６】
0003115881.tif 000008